(57)【要約】  近位端と遠位端を有し、０℃を下回る凝固点温度を有する第１の溶液を保存するように構成された外部チャンバを有するマウスピース。前記近位端は使用者の口の少なくとも上と下の歯茎と歯に隣接して置かれるように構成された順応性のある頂部と底部の要素を有する。前記頂部と底部の要素は使用者の口に設置するために一体または接続されている。袋状体が前記チャンバ内に配置され、第１の溶液を冷却するための前記第１の溶液の凝固点温度より高い凝固点温度を有する第２の溶液を有する。前記袋状体は近位端と遠位端を有し、前記近位端が少なくとも部分的に前記頂部と底部要素の間に位置するように構成されている。前記第１の溶液は、口内の冷却環境を保持するように前記頂部要素と前記底部要素の全体を流れる。
2021511158.tif 000002
【特許請求の範囲】
【請求項１】
口腔組織を冷却するためのマウスピースであって；
近位端と遠位端を有し、０℃を下回る凝固点温度を有する第１の溶液を有する冷却媒体を保存するように構成された外部チャンバであって、前記近位端は使用者の口の上歯茎と上歯の少なくとも主表面に密着関係で隣接して置かれるように構成された順応性のある頂部要素と、使用者の口の下歯茎と下歯の少なくとも主表面に密着関係で隣接して置かれるように構成された順応性のある底部要素とを有し、前記頂部要素は前記使用者の口への設置が可能なように前記底部要素と一体であるかまたは接続されている、外部チャンバと；
前記外部チャンバ内に配置され、前記第１の溶液の冷却を助けるために前記第１の溶液の凝固点温度より高い凝固点温度を有する第２の溶液を保存するように構成された袋状体であって、近位端と中央部と遠位端を有し、前記近位端が少なくとも部分的に前記頂部要素と前記底部要素の間に配置されるように寸法決め及び構成された、袋状体と；を有し、
前記第１の溶液が、口内の冷却環境を保持するように前記頂部要素と前記底部要素の全体を流れる、マウスピース。
【請求項２】
前記第１の溶液が塩水である、請求項１に記載のマウスピース。
【請求項３】
前記第２の溶液が水である、請求項１に記載のマウスピース。
【請求項４】
前記袋状体の中央部が円形の断面形状を有する、請求項１に記載のマウスピース。
【請求項５】
前記袋状体は、延伸され、前記マウスピースの中心縦軸に沿って延びている、請求項１に記載のマウスピース。
【請求項６】
前記袋状体の近位端は、長方形の断面形状を有している、請求項１に記載のマウスピース。
【請求項７】
前記袋状体の近位端がテーパ状である、請求項１に記載のマウスピース。
【請求項８】
前記袋状体を密閉するように構成され、寸法決めされたプラグをさらに含む、請求項１に記載のマウスピース。
【請求項９】
前記外部チャンバは、前記近位端が長方形の断面形状を有するように寸法決めされ、構成されている、請求項１に記載のマウスピース。
【請求項１０】
前記外部チャンバは、前記遠位端が円形の断面形状を有するように寸法決めされ、構成されている、請求項１に記載のマウスピース。
【請求項１１】
前記外部チャンバの前記遠位端は、前記外部チャンバをシールして閉じる遠位壁を有している、請求項１に記載のマウスピース。
【請求項１２】
前記外部チャンバの前記遠位端は、前記袋状体を受け入れるように構成され、寸法決めされた、開孔部を含む、請求項１に記載のマウスピース。
【請求項１３】
前記開孔部をシールするように寸法決めされ、構成されたキャップをさらに有する、請求項１２に記載のマウスピース。
【請求項１４】
前記外部チャンバは、外側断熱壁を有している、請求項１に記載のマウスピース。
【請求項１５】
前記外側断熱壁は、使用者が内容物を圧搾し、前記冷却媒体の流れを補助することを可能にする、弾性を提供する材料から製造される、請求項１４に記載のマウスピース。
【請求項１６】
前記外部チャンバは、前記頂部要素を前記底部要素に接続する近位壁を有する、請求項１に記載のマウスピース。
【請求項１７】
前記頂部要素、前記底部要素及び前記外部チャンバは、一体ユニットとして一体的に形成されている、請求項１に記載のマウスピース。
【請求項１８】
前記外部チャンバは、製造中に前記頂部要素と前記底部要素に接合されて水密シールを形成する別個の部品である、請求項１に記載のマウスピース。
【請求項１９】
前記外部チャンバは、入れ子状構造で前記袋状体を受け入れるように構成され、寸法決めされた、空洞を有している、請求項１に記載のマウスピース。
【請求項２０】
前記外部チャンバのそれぞれは、テーパ状の近位端部を有する、請求項１に記載のマウスピース。
【請求項２１】
前記マウスピースが前記作動可能な密着関係で口の中に配置されたときに、前記使用者が口を通して呼吸することを可能にする、横方向位置に配置され前記外部チャンバに隣接して延びる第１の開孔部をさらに有する、請求項１に記載のマウスピース。
【請求項２２】
前記マウスピースが前記作動可能な密着関係で口の中に配置されたときに、前記使用者が口を通して呼吸することを可能にする、前記第１の開孔部に対向する横方向位置に配置され前記外部チャンバに隣接して延びる第２の開孔部をさらに有する、請求項２１に記載のマウスピース。
【請求項２３】
前記マウスピースが前記作動可能な密着関係で口の中に配置されたときに、前記使用者が口を通して呼吸することを可能にするように、前記外部チャンバ内に延び、前記外部チャンバの前記近位端および前記遠位端にそれぞれ形成された第１および第２の開孔部を有する、呼吸用チューブをさらに有する、請求項１に記載のマウスピース。
【請求項２４】
前記呼吸用チューブは、前記頂部要素と前記底部要素の間に延びる、請求項２３に記載のマウスピース。
【請求項２５】
前記第２の開孔部は、前記外部チャンバの遠位端に位置するキャップを通して形成されている、請求項２３に記載のマウスピース。
【請求項２６】
前記外部チャンバがシリコンから作られる、請求項１に記載のマウスピース。
【発明の詳細な説明】
【技術分野】
【０００１】
関連出願の相互参照
本出願は、２０１８年１月１９日に出願された米国特許出願第１５／８７５，３９５号の利益を主張し、その内容は参照によりその全体が本明細書に組み入れられる。
【０００２】
本発明は、化学療法治療中に患者の口腔組織を冷却するためのマウスピースに関する。
【背景技術】
【０００３】
癌患者の化学療法治療に関連する最も制限的な副作用の１つは、粘膜炎として知られる口腔粘膜組織の重度の炎症を特徴とする症状である。この炎症は口内炎を引き起こし、患者にとって非常に苦痛であるため、化学療法治療を完了する前に治療を弱めるか、または中断すらしなければならないことがしばしばあった。結果として、しばしば、癌患者は、その症状を効果的に治療するための必要な量の化学療法を受けることができない。同じように、治験責任医師による評価を受けている新しい治療が、粘膜炎に対する耐性がないため、プロコトルを中止する患者を有し、検査の評価に重大な問題を生じることがしばしばある。
【発明の概要】
【発明が解決しようとする課題】
【０００４】
しかしながら、化学療法治療中に口腔組織を冷たく保つことは、関連する血管の血管収縮を引き起こし、この組織に流入する化学療法剤の量を減少させることが知られている。口腔組織を冷却する既知の方法は、化学療法剤の投与中に患者の口腔内に定期的に氷を置くことを含む。この方法は、約1時間未満の短い治療期間における口内炎の形成を軽減する。
【０００５】
口腔組織を冷却する既知の方法は短い治療には受け入れ可能だが、長時間継続するかもしれない延長された化学療法の治療には、少なくとも以下の理由により実用的ではなかった。第一に、急速に溶ける氷は常に交換しなければならないため、患者が眠ることが非常に困難であった。第二に、さらに重要なことに、炎症を起こしやすい口腔組織のすべてを常に均一に冷却することができなかった。この既知の方法は、延長された治療の間、口腔組織を一定の所望の温度に維持することはないため、粘膜炎および口内炎が不可避的に形成され、化学療法投与量を減少させるか、または、治療を中断させるという制限の問題となる。患者は軽減された化学療法の治療に耐えることができるかもしれないが、その有効性は限定され、治療にもかかわらず癌が制御不能な割合で増殖する可能性があった。
【０００６】
従って、既知の方法が不適当なことに鑑み、化学療法治療の延長された期間にわたって、選択された口腔組織を効果的に冷却し、化学療法剤の吸収を減少させ、続く炎症と口内炎の発生を減少させる、口腔治療装置およびその装置を使用する方法に対する要求があった。そのような装置は、既知の方法によって克服されない従前の化学療法治療の有効性低下の問題を軽減または排除する。さらに、いかなる治療の期間にもわたって患者にとって快適であることを維持し、それによってリラクゼーションと睡眠さえも得られる口腔装置に対する要求があった。
【０００７】
本発明は、上記の問題に対する解決策を提供する。
【課題を解決するための手段】
【０００８】
本発明は、化学療法治療中の患者の口腔組織の冷却のためのマウスピースに関する。マウスピースは、少なくとも患者の口の上歯茎および歯の主表面に、密着関係で隣接して置かれるように構成された順応性のある頂部要素を含む。マウスピースはさらに、少なくとも患者の口の下歯茎および歯の主表面に、密着関係で隣接して置かれるように構成された順応性のある底部要素を含む。頂部要素は、一体ユニットとして口内に配置されるように、ボトム要素と一体化あるいは接続されている。マウスピースはさらに、マウスピースが作動可能で密着関係で口の中に置かれたときに、患者が口を通して呼吸できる正面位置に配置された開孔部を含む。マウスピースはさらに、頂部要素および底部要素内に収容された冷却媒体を含み、患者の口への毛細血管血流を減少させるのに十分な口内の冷却環境を保持することができる。
【０００９】
本願発明の別の実施形態では、マウスピースは、塩水溶液を含む冷却媒体を収納するためにマウスピースの前面から延びる外部チャンバを含む。開孔部が、前面位置に配置され、外部チャンバを通って延びており、マウスピースが作動可能に密着関係で口の中に置かれたときに、患者が口を通して呼吸することを可能にする。一連の袋状体が頂部要素および底部要素内に配置され、頂部要素と底部要素を流通する冷却媒体を受け入れ、患者の口への毛細管血流を減少させるのに十分なように口内冷却環境を維持するため、該袋状体は外部チャンバに接続されている。
【００１０】
別の実施形態では、外部チャンバおよび口内に適合する要素は分離可能であって、本明細書でさらに記述されるように冷却剤を冷却し、口内の要素に導入されることを可能にし、それにより、口内の要素を患者に最も適した大きさにすることを可能にする。
【００１１】
例えば、マウスピースは、第１の外部チャンバの近位端がマウスピースの前面に取り外し可能に取り付けられるように寸法付けされ、構成された嵌合要素を含むことができる。嵌合要素は、取り外し可能なスナップフィット装着を可能にするためのさねはぎ嵌合表面を含むことができる。あるいは、嵌合要素は、取り外し可能なねじ嵌合装着を可能にするためのねじ嵌合表面を含むことができる。
【００１２】
一実施形態では、少なくとも１つのバルブが、冷却媒体の流れを制御するために、袋状体と外部チャンバとの間に固定して配置されている。少なくとも１つのバルブは、冷却媒体の流れによって圧力が加えられたときに開くように構成された可撓性トンネルを含むダックビルバルブとすることができる。一方向弁タイプのバルブを含んで、他のタイプのバルブを、本発明に利用することができる。他の実施形態では、バルブは、使用者によって開閉するように調整できるハンドルを含むことができる。他の実施形態では、バルブは、ボールバルブを含むことができる。
【００１３】
一実施形態では、第１の外部チャンバは、マウスピースと第２のチャンバの間に配置される。別の実施形態では、第１の外部チャンバは、入れ子状構造で第２のチャンバを受け入れるように構成され寸法決めされた遠位開孔部を形成する空洞を含む。第１の外部チャンバおよび第２のチャンバのそれぞれは、テーパ状の近位端分を含むことができる。
【００１４】
別の実施形態では、支持装置が、外部チャンバを有するマウスピースを支持するために用いられる。装置は、外部チャンバを受け入れるための表面を有する吊り帯を含む。装置はさらに、吊り帯から延びる少なくとも２つの支持脚を含み、支持脚は、使用中に外部チャンバを支持するための堅い表面上に載るように構成されている。好ましくは、支持脚は、様々な環境に適応し、頑丈な支持を提供するように、伸縮し調整するように構成されている。
【００１５】
別の実施形態では、マウスピースは、患者の口の上歯茎および歯の少なくとも主表面に密着関係で隣接して置かれるように構成された順応性のある頂部要素を含む。マウスピースは、患者の口の下歯茎および歯の少なくとも主表面に密着関係で隣接し置かれるように構成された順応性のある底部要素を含む。頂部要素は、一体ユニットとして口の中に設置することができるように、底部要素と一体化しているか、または底部要素に接続されている。外部チャンバは、０℃以下の凝固点温度を有する第１の溶液を有する冷却媒体を保存するために、マウスピースの前面から延びている。第１の溶液の冷却を補助するために第１の溶液の凝固点温度よりも高い凝固点温度を有する第２の溶液を保存するための、袋状体が外部チャンバ内に配置されている。第１の溶液は、患者の口内への毛細血管血流を減少させるのに十分な口内の冷却環境を保持するために、頂部要素および底部要素全体に流れる。
【図面の簡単な説明】
【００１６】
添付図面において、
【図１】化学療法治療を受けている患者の口内に配置された本発明によるマウスピースの説明図である。
【図２】図２〜５は、本発明の第１の実施形態を示しており、図２は、図１の線２−２方向に見た第１の実施形態によるマウスピースの横断面図である。
【図３】図２のマウスピースの正面左上方向から見た、上歯茎のための冷却媒体袋状体が示されている斜視図である。
【図４】冷却媒体を収容する複数の袋状体を示す図２のマウスピースの上面図である。
【図５】一列のエアーポケットによって分離された２列の袋状体を示す図２のマウスピースの右上外壁の内面の立側面図である。
【図６】図６〜１０は、本発明の第２の実施形態を示しており、図６は、図１の線２−２方向に見た第２の実施形態によるマウスピースの横断面図である。
【図７】図６のマウスピースの正面左上方向から見た斜視図であって、上歯を断熱するための単一のＵ字形袋状体を示している。
【図８】Ｕ字形上部断熱袋状体の咬み表面を示す図２のマウスピースの上面図である。
【図９】さらに口蓋に接触するための拡張可能な上壁を有する図６のマウスピースの正面左上方向から見た斜視図である。
【図１０】さらに口の隅部に接触するための４つの可撓性アームを有する、図９のマウスピースの正面左上方向から見た斜視図である。
【図１１】図１１〜１４は、本発明の第３の実施形態を示しており、図１１は、化学療法の治療を受けている患者の口内に配置されたマウスピースの説明図であり、外部チャンバがマウスピースの前面から延びていることが示されている。
【図１２】第３の実施形態による図１１の線１２−１２の方向に見たマウスピースの横断面図である。
【図１３】図１２のマウスピースの正面左上方向から見た斜視図であって、そこでは上歯茎用の冷却媒体袋状体が示され、外部チャンバに接続されている。
【図１４】図１２のマウスピースの上面図であって、頂部要素と底部要素を流れ通った冷却媒体を受けるための一連の接続された袋状体が示されている。
【図１５】本発明の第４の実施形態を示し、図１２のマウスピースの正面左上方向から見た斜視図であって、上歯茎用の冷却媒体袋状体が示され、該冷却媒体袋状体は外部チャンバに接続され、該外部チャンバは、塩水チャンバと、該塩水チャンバ内を自由に移動する純水チャンバを含む。
【図１６】図１６〜２０は、本発明の第５の実施形態を示しており、図１６は、化学療法治療を受けている患者の口内に位置するマウスピースの説明図であり、取り外し可能な外部チャンバがマウスピースの前面から延びている。
【図１７】図１６の線１７−１７の方向から見た、第５の実施形態によるマウスピースの断面図である。
【図１８】上歯肉のための冷却媒体袋状体を示し、冷却媒体袋状体が取り外し可能な外部チャンバに接続されている、図１６のマウスピースの正面左上方向から見た斜視図である。
【図１９】頂部要素および底部要素全体を流れる冷却媒体を受け入れるための一連の接続された袋状体を示す、図１６のマウスピースの上面図である。
【図２０】図２０Ａは、図１６のマウスピースの正面左上方向から見た分解斜視図であって、外部チャンバがマウスピースから取り外されている。図２０Ｂは、外部チャンバの近位端の正面左方向から見た分解斜視図であって、冷却媒体の流れを制御するための円筒形部材および弁を示している。
【図２１】図２１と２２は、本発明の第６の実施形態を示しており、図２１は、図１２のマウスピースの正面左上方向から見た斜視図であって、上歯茎のための冷却媒体袋状体を示し、冷却媒体袋状体が外部チャンバに接続され、外部チャンバは、塩水チャンバと、塩水チャンバ内を自由に移動し、冷却媒体袋状体を自由に流れる複数の純水カプセルを含む。
【図２２】図２１のマウスピースの上面図であり、頂部要素と底部要素を自由に流れる塩水冷却媒体と純水カプセルの両方を受け入れる一連の接続された袋状体を示す。
【図２３】支持脚および吊り帯を有する支持装置をさらに有している、本発明の第７の実施形態を示す図である。
【図２４】図２４〜３４は、本発明の第８の実施形態を示しており、図２４は、化学療法治療を受けている患者の口内に位置するマウスピースの説明図であり、外部チャンバがマウスピースの前面から延びている。
【図２５】図２４の線２５−２５から見た第８の実施形態によるマウスピースの断面図である。
【図２６】図２４のマウスピースの右側分解斜視図であり、袋状体がマウスピースと外部チャンバの間に挿入されるように配置されて示されている。
【図２７】図２４のマウスピースの右側分解斜視図であり、袋状体が外部チャンバとキャップの間に挿入されるように配置されて示されている。
【図２８】図２４のマウスピースの右側分解斜視図であり、頂部要素と底部要素を接続するマウスピースの近位壁を示す。
【図２９】図２４のマウスピースの右側分解斜視図であり、外部チャンバ内に挿入された袋状体を示す。
【図３０】図２４のマウスピースの上面図であり、頂部要素と底部要素全体を流れる冷却媒体を受け入れるための袋状体を示す。
【図３１】第１の被験者に対するマウスピースの冷却効果を示す口腔内赤外線温度画像である。
【図３２】第１の被験者に対するマウスピースの冷却効果を示す口腔内赤外線温度画像である。
【図３３】第２の被験者に対するマウスピースの冷却効果を示す口腔内赤外線温度画像である。
【図３４】第２の被験者に対するマウスピースの冷却効果を示す口腔内赤外線温度画像である。
【発明を実施するための形態】
【００１７】
以下、図面を参照して本発明を詳細に説明する。
【００１８】
図１は、化学療法治療を受けている患者の口内に配置された本発明によるマウスピース１０を示している。図２および図６に示すように、治療装置は、患者の上歯２０１と２０２ならびに下歯２０３と２０４に同時に係合し、マウスピースが作動可能に密着関係で口に装着されているときに患者が口を通して呼吸することを可能にする正面位置の開孔部７０を含む。一実施形態によれば、可撓性チューブ（図示せず）が開孔部７０に貫挿され或いは接続され、患者が楽に呼吸しながら口の外側から空気を吸入するのを助けるように、患者の口の内側に配置され得る。他の実施形態では、この可撓性チューブは、医学的に保証されるならば、患者に酸素を供給するために使用することができる。
【００１９】
図２〜５は、本発明の第１の実施形態を示しており、マウスピース１０は、順応性があり、患者の口腔組織と生体適合性があり、以下にさらに詳細に説明するように、患者の口のサイズおよび形状に合わせて装置を形成するために使用できる材料からなる。適切な材料として、例えば、アクリル、プラスチック、シリコンおよびゴムが含まれる。後述する本発明の第２の実施形態とは異なり、マウスピースの材料自体は冷却媒体であることを意図しておらず、むしろ以下に説明するように、冷却媒体として作用するように構成された他の要素や袋状体を収容する枠組を形成する。
【００２０】
マウスピースは、頂部要素１８および底部要素１９を含み、それらは集合的に化学療法の治療中に口全体の被覆を提供する。頂部要素１８は、口内に一体のユニットとして配置できるように、底部要素１９と一体であるか、または底部要素１９に接続されている。頂部要素１８は、順応性のある材料からなり、患者の口の上歯茎２１１，２１２および上歯２０１，２０２の少なくとも主表面に密着関係で隣接するように構成されている。底部要素１９は、順応性のある材料からなり、患者の口の下歯茎２１３，２１４および下歯２０３，２０４の少なくとも主表面に密着関係で隣接するように構成されている。
【００２１】
一実施形態では、治療装置は、最初に患者の歯の咬合記録に合わせてストーン型を作成することによって形成される。型は、患者の咬合をシミュレートするために咬合器に取り付けられ、咬合器は、４〜６ｍｍの垂直咬合スペースを形成するように調節される。
【００２２】
次に、好ましい治療装置の囲壁が着手される。ワックスパターンが製造されて囲壁に加えられ、このパターンはマウスピースの内壁および外壁を画定する。好ましい材料が、開孔部７０の位置も同様に、ワックスパターンを含むように加えられる。好ましい材料は、室温で、または加圧ポットのような加熱源の中の昇温された温度で硬化または保存処理されるようにすることができる。
【００２３】
次いで、硬化された装置は、沸騰水中またはオーブンのような高温雰囲気中に置かれ、ワックスパターンを溶融させ、ワックスを注ぎ出して中空の装置を形成する。その後、装置は仕上げられ、成形され、輪郭付けされる。最後に、完成した装置の外面が患者の口の輪郭に適切に合致することを確かにするために、装置は正確な適合を確認するために口の中に配置される。装置は快適にフィットしなければならず、患者が吐き気をするほど患者の口の中に延びてはならない。
【００２４】
別の実施形態では、上記のように毎回ストーン型からあつらえの装置を作る必要がなく、マウスピース材料が十分な順応性を有し、患者の口のサイズに合うように様々なサイズが製造される。例えば、マウスピースは、小、中、大、および特大のサイズで提供することができる。マウスピースは、自らの形状を患者の口の大きさおよび形状に合わせるように自己調節する可撓性の内壁および外壁を含むことができる。
【００２５】
図２を参照すると、別個の冷却媒体が頂部要素１８および底部要素１９内に収容され、化学療法の治療後の口内炎および口腔内不快感を防止するように、患者の口腔への毛細血管血流を減少させるのに十分な口内の冷却環境を保持するようにすることができる。冷却媒体は、マウスピースの内側空洞に沿った所定の位置に配置された複数の袋状体８１〜８８内に収容することができる。使用前に、マウスピースは、冷却媒体を所望の温度に冷却するために、冷蔵庫または他の温度制御環境に保存される。マウスピースの冷却媒体は、投与される薬物のタイプおよび患者の歯茎および口に対するそれらの既知の効果に依存して、口腔組織を冷却するためにマウスピースが患者の口の中にある間、化学療法治療の一部の時間を通して、必要な温度を維持することができるのが好ましい。例えば、２時間の化学療法治療のセッションの間に、治療の１５分の部分のみが歯茎および口に悪影響を及ぼすことがある。このため、本発明のマウスピースは、最も効果的な時間にマウスピースの冷却効果が最大になるように、最も必要とされる化学療法治療の時間中に患者の口に挿入することができる。
【００２６】
冷却媒体は、患者の口腔内の選択された口腔組織と接触して冷却するように、マウスピース内に配置される。また、冷却媒体は、口腔組織内で発生した熱のヒートシンクとして機能するマウスピースを部分的に冷却する。冷却媒体は、熱が口腔組織および装置から継続的に取り去られるように機能し、化学療法治療中に口腔組織を冷たく保ち、装置が著しく温まるのを防止する。治療用装置の著しい温まりは、炎症および口内炎が形成され、その結果治療が減少または中止されることを許容する。
【００２７】
好ましくは、冷却媒体は、摂氏約０度〜約５度の温度に維持される。冷却媒体は、装置の密封されたチャンバによって運ばれ、そして装置は使用前に冷凍庫または他の冷却装置で適切な温度に冷却される。冷却媒体は、無毒性ゲル、または、初期温度を維持できるヒドロキシエチルセルロース（ＣＥＬＬＵＳＩＺＥ（商標））、ポリアクリル酸ナトリウムまたはビニル被覆シリカゲルを添加して製造した類似の物質であってもよい。
【００２８】
図２は図１の線２−２方向に見た横断面図である。患者の右上歯２０１および右上歯茎２１１は、合わせてＵ字形の空洞を形成する右上壁４１，５１と６１と係合する。袋状体８１，８２は、垂直壁４１，５１にそれぞれ設けられ、上述したように冷却媒体を収容する。該袋状体は、図２に示すように、右上歯茎２１１の少なくとも主要面に隣接するように寸法決めされている。同様に、患者の口の他の残りの象限は、上述したのと同じ方法で処理されるため、さらなる議論を要しない。
【００２９】
図３は、マウスピースの正面左上方向から見た斜視図を示しており、上歯茎のための冷却媒体袋状体が示されている。開孔部７０は、マウスピース１０が作動可能に密着関係で口の中に置かれたときに、患者が口を通して呼吸することができるように正面位置に配置されている。開孔部７０は単一の開孔部として図示されているが、本発明の他の実施形態では、１つより多い開孔部を含むことができる。図示されているように、頂部要素１８は底部要素１９と、それらの隣接面に沿って、一体であり、それらの間に単一の連続した側壁を集合的に形成し、一体のユニットとして口内に配置することを可能にする。他の実施形態では、頂部要素１８は、顎骨の関節に隣接する遠位端において底部要素１９にヒンジ式に接続することができる。この実施形態では、患者は、冷却媒体を上および下の歯茎および歯と接触させた状態を維持しながら、口を開閉することができる。
【００３０】
図４は、冷却媒体を収容する複数の袋状体を示したマウスピースの上面図である。図示の実施形態では、マウスピース１０の内壁に沿っていくつかの離散化された冷却チャンバ（袋状体）８１〜８４が設けられている。いくつかの離散化された冷却チャンバ間の冷却媒体の分配は、呼吸孔７０と干渉することなく、患者の歯茎と接触するための順応性のある表面を提供する。該離散チャンバの数およびサイズは、マウスピースの全体的のサイズおよび治療される特定の患者により変化し得る。好ましくは、各チャンバは、適切な接着剤または使用中の脱落を防止する他の手段を用いてマウスピースに固着される。別の実施形態では、各チャンバは取り外し可能に取り付けられ、冷却の量およびタイミングを制御するため、あるいは、使用者の独特な歯の解剖学的構造に対するマウスピースの適合を調整するため、様々なサイズの袋状体と交換することができる。例えば、患者は、隣接する歯からくぼんだりまたは曲がったりする１つ以上の歯を有しているかもしれない。この不一致に対応するために、より小さなまたはより大きな袋状体をマウスピースのこの位置に適合させることができ、それによってよりあつらえ向きの適合を生じさせることができる。
【００３１】
図５は、２列の袋状体が１列のエアーポケットによって分離されていることを示す、マウスピースの右上外壁４１の内面の立側面図である。第１列の袋状体８０１は、底部の近くに配置され、患者の右上歯２０１（図２参照）の近くに位置するように意図されている。第２列の袋状体８０２は、頂部の近くに配置され、患者の右上歯茎２１１（図２参照）の近くに位置するように意図されている。歯茎と歯に対して種々の冷却ゾーンを提供するために、異なる体積、および／または、異なるタイプの冷却材料をそれぞれ第１および第２の列に配置することができる。例えば、袋状体８０１の第１列は、袋状体８０２の第２列内に含まれる冷却媒体と比較して、より速く温まり、歯からより少なく熱を除去する（したがって、より少なく歯を冷却する）冷却媒体を含むことができる。このことは、比熱が低いゴムまたはプラスチック材料を利用することによっても達成することができる。一般に、特にもし患者が様々な理由により敏感な歯を有する場合は、患者の歯は歯茎よりも冷却されないことが好ましい。
【００３２】
別の実施形態では、一列のエアーポケット８０３が、第１および第２列の袋状体の間に配置される。エアーポケットは、袋状体８０１と８０２の第１列および第２列を熱的に分離し、それらの間の熱伝達を最小にするように作用する。他の実施形態では、エアーポケットの列は装置に含まれていない。エアーポケットの列の代わりに、他の熱障壁を利用することもできる。
【００３３】
別の実施形態では、マウスピースは、患者の頬と接触してその口腔組織を冷却し、また、上顎および下顎に沿って歯茎を冷却するために、マウスピースの側壁の外側の側面に沿って分離された冷却媒体（図示せず）を含む。
【００３４】
別の実施形態では、マウスピースは、口蓋に接触する任意の上壁２９（図２参照）に沿って、また、口の基部と接触する任意の下壁３０（図２参照）に沿って、また、舌と接触する内壁の一部に沿って冷却媒体（図示せず）を有する。これらの壁部分は、囲んでいる口蓋および口の底部、ならびに舌および隣接する歯茎を冷却するために利用することができる。
【００３５】
図６〜１０は、本発明の第２の実施形態を示し、そこではマウスピース１０自体が、順応性があって患者の口腔組織と生体適合性があって、患者の口の大きさおよび形状に従って装置を形成するために使用され得る材料であるのみならず、以下でより詳細に説明するように、マウスピースを形成する材料自体が冷却媒体として作用するように意図されている材料で構成されている。マウスピースを構成する材料には、非毒性ゲル、または、初期温度を維持できるヒドロキシエチルセルロース（ＣＥＬＬＵＳＩＺＥ（商標））、ポリアクリル酸ナトリウムまたはビニル被覆シリカゲルを添加して製造した類似の物質を含むようにしてよい。
【００３６】
マウスピースは頂部要素１８と底部要素１９を含み、それらは集合的に化学療法の治療中の口の全体的な被覆および冷却を提供する。頂部要素１８は、底部要素１９と一体となって又は接続されて、一体のユニットとして口内へ配置することを可能にする。頂部要素１８は、順応性のある材料からなり、患者の口の上歯茎２１１，２１２および上歯２０１，２０２の少なくとも主表面に密着関係で隣接するように構成されている。底部要素１９は、順応性のある材料からなり、患者の口の下歯茎２１３，２１４および下歯２０３，２０４の少なくとも主表面に密着関係で隣接するように構成されている。
【００３７】
図６は、図１の線２−２方向から見た横断面図である。患者の右上歯２０１および右上歯茎２１１は、合わさってＵ字形の空洞を形成する右上壁４１，５１および６１と係合している。マウスピース自体が冷却媒体であるため、上記の図２〜５を参照して説明した追加の袋状体は必要ではなく、含まれていない。Ｕ字形の絶縁袋状体９１が、縦壁４１，５１の間にそれぞれ取り付けられ、冷却保存装置からマウスピースを取り出し後に非常に迅速に温かくなる材料で構成されている。これにより、該Ｕ字形の絶縁袋状体９１は、マウスピースの使用中に歯が冷却されるのを実質的に防止する。Ｕ字形の袋状体９１は、図６に示すように、右上歯２０１の少なくとも主表面に隣接して置かれるように寸法決めされている。同様に、患者の口の他の残りの象限は、上述したのと同じ方法で処理されるため、さらなる議論を要しない。
【００３８】
図７は、マウスピースの正面左上方向から見た斜視図を示しており、上歯を絶縁するための単一のＵ字形袋状体９０が上述のように示されている。他の実施形態では、Ｕ字形袋状体は複数の部分から構成することができる。
【００３９】
図８は、上述したＵ字形上部絶縁袋状体９０の咬合面を示すマウスピースの平面図である。Ｕ字形絶縁袋状体を形成する材料は、順応性があって患者の口内に挿入されている間に快適な咬合面を提供するようにすることができる。
【００４０】
図９は、口蓋に接するための拡張可能な上壁をさらに備える、図６のマウスピースの正面左上方向から見た斜視図である。特に、マウスピースの右上内壁５１（図６参照）から垂直に延びる第１部分２９ａと、マウスピースの左上内壁５２（図６参照）から垂直に延びる第２部分２９ｂとによって形成されている。第１部分２９ａは、第２部分２９ｂの上を摺動し、患者の口蓋に接する概略連続した上壁を形成し、そして、これによって化学療法治療中にこの領域を冷却もするようにしている。第１部分２９ａおよび第２部分２９ｂは、マウスピースの残りの部分と同様の冷却材料から構成され、または、追加の材料及び／又は内部構造補強を有し、それによって頂部が適切な構造的完全性を維持し、口蓋との接触を維持するための上方へ付勢する力を概して有することを確かにするようにしてもよい。上部は、第１部分２９ａと第２部分２９ｂの重なり配置のため、幅を広げたり狭めたりする能力を有する。したがって、マウスピースは、患者の口蓋を冷却する能力を維持しながら、様々なサイズの口の幅に対応することができる。
【００４１】
斜視図には示されていないが、マウスピースの底部は、口の床から舌の下側の中央部まで延びている粘膜の小さな折り畳みである舌の小帯（舌ウェブ、舌側裂孔または裂孔腔内唇とも呼ばれる）と干渉しないようにしながら、患者の口の底／床に接触するように構成されている類似の下部（図６参照）を含む。
【００４２】
図１０は、使用中に口の隅部に接触するように構成された４つの可撓性アーム３０１〜３０４をさらに備える、図９のマウスピースの正面左上方向から見た斜視図である。各可撓性アームは、マウスピースの前面に配置された開孔部７０の近くの近位端に取り付けられ、マウスピースが患者の口の内側に配置されていないときは、半径方向に伸びている。可撓性アーム３０１〜３０４は、マウスピースの残りの部分と類似の冷却材料から構成され、適切な構造的な完全性を確実にするために追加の材料および／または内部構造補強を有するようにしてもよい。例えば、適切な構造的な完全性と適切な可撓性を提供するために、各可撓性アームの内側に弾性の長手方向芯を収容するようにすることができる。使用中、マウスピース１０が患者の口に挿入される。次に、各可撓性アームが挿入され、患者の口の各隅部に位置決めされる。これにより、可撓性アームは、親知らずの近くの患者の口の隅部の到達困難な領域に追加の冷却ゾーンを提供する。したがって、この実施形態では、マウスピースは、患者の口の隅部を、これらの領域に隣接する歯茎および頬を含めて、冷却する能力を維持しながら、口の様々なサイズに対応することができる。
【００４３】
本発明による治療装置は、患者の頬、歯茎、舌、口蓋および口の床を常に均一に冷却する。それは患者の口の輪郭に緊密に一致するため、不快感を与えることなく広範な治療に使用することができる。さらに、その均一な冷却作用は、延長された化学療法処置の間に炎症および口内炎の生成を低減または防止する。
【００４４】
本発明の別の実施形態では、化学療法の治療中に患者の口腔組織を冷却するためのシステムが開示される。該システムは、同時に冷却される複数のマウスピースを含む。使用中、第１のマウスピースが選択されて患者の口に挿入され、残りのマウスピースは、温度制御された冷却環境で保存され続ける。予め選択された時間の後、または予め選択された口の温度に到達した後、第１のマウスピースが取り除かれ、第１のマウスピースから消え始めた所望の冷却効果を取り戻すように第２のマウスピースと交換される。このようにして、化学療法治療中の患者の使用のために、冷却されたマウスピースの継続した供給が可能となる。例えば、複数のマウスピースを、冷蔵庫、冷凍庫、氷を入れたタブなどに保存することができ、患者のすぐ近くで到達できるようにすることができる。
【００４５】
図１１〜１４は、外部チャンバ３００がマウスピース１０の前面から延びている、本発明の第３の実施形態を示している。断熱壁３０１が、液体内容物の低温維持を助けるために、外部チャンバ３００を取り囲んでいる。外部チャンバ３００は、好ましくは、塩水チャンバ３０３と純水チャンバ３０４とを含む。分離壁３０２が、塩水チャンバ３０３と純水チャンバ３０４との間の障壁となっている。一実施形態では、塩水チャンバ３０３と純水チャンバは、分離壁３０２に沿って互いに隣接する面を有している。分離壁は、薄いゴムまたはプラスチック材料のような可撓性材料で作ることができる。別の実施形態では、
分離壁は、アルミニウムまたは他の種類の高伝導性材料で作ることができる。
【００４６】
塩水および純水は、その安全性および容易な入手可能性のために好ましいが、塩水のように摂氏０度より十分低い凝固点を有する他の材料と摂氏０度の凝固点を有する純水、または、凝固点が摂氏０度に近い一方の溶液と凝固点が摂氏０度未満の凝固点を有する他方の溶液が、塩水、純水またはその両方に代わることができる。
【００４７】
マウスピースは、頂部要素１８と底部要素１９を含み、それらは集合的に化学療法治療中の口の全体の被覆および冷却を提供する。頂部要素１８は、底部要素１９と一体であるか、または底部要素１９に接続され、口内への一体ユニットとしての配置を可能にする。頂部要素１８は、順応性のある材料からなり、患者の口の上歯茎２１１，２１２および上歯２０１，２０２の少なくとも主表面に密着関係で隣接するように構成されている。底部要素１９は、順応性のある材料からなり、患者の口の下歯茎２１３，２１４および下歯２０３，２０４の少なくとも主表面に密着関係で隣接するように構成されている。
【００４８】
図１２は、図１１の線１２−１２の方向に見た横断面である。患者の右上歯２０１および右上歯茎２１１は、集合的にＵ字形の空洞を形成する右上壁４１，５１，６１に係合する。袋状体１８１，１８２はそれぞれ垂直壁４１，５１に取り付けられ、上述のように冷却媒体を収容する。袋状体は、図１２に示すように、右上歯茎２１１の少なくとも主表面に隣接して置かれるに寸法決めされている。同様に、患者の口の残りの他の象限は、上述したのと同じ方法で処理され、したがって、さらなる議論を要しない。
【００４９】
図１３は、上歯茎用の冷却媒体袋状体１８１，１８９，１８３，１９０が示されている、マウスピースの正面左上方向から見た斜視図を示している。開孔部７０は、正面位置に配置され、外部チャンバ３００を通って延在し、マウスピース１０が作動可能に密着関係で口の中に置かれたときに患者が口から呼吸することを可能にする。開孔部７０は単一の開孔部として図示されているが、本発明の他の実施形態では、２つ以上の開孔部を含めることができる。開孔部７０の内壁は、外部チャンバ３００の重量の下で圧し潰されることなくその形状を維持する、プラスチック、硬質ゴムなどの剛性または半剛性材料から作られる。図示のように、頂部要素１８は、隣接面に沿って底部要素１９と一体であり、集合的にその間に単一の連続した側壁を形成し、一体のユニットとして口内に配置することを可能にする。他の実施形態では、頂部要素１８は、顎骨の関節に隣接する遠位端において底部要素１９にヒンジ式に接続することができる。この実施形態では、患者は、冷却媒体を上および下の歯茎および歯と接触させた状態を維持しながら、口を開閉することができる。
【００５０】
図１４は、１つ以上の流路３０５，３０６を通って塩水チャンバ３０３から流れる塩水溶液を収容する複数の袋状体を示したマウスピースの上面図である。マウスピースおよび外部チャンバは、使用前に冷凍庫に保管され、純水チャンバ３０４に保存された水が凍るようにする。純水チャンバ３０４は、図に矢印で示すようにマウスピース内の袋状体を通って流れる塩水に冷却効果を与える。図示の実施形態では、マウスピース１０の内壁に沿って一連の冷却チャンバ（袋状体）１８１〜１８４が設けられている。いくつかの接続されたチャンバ間の冷却媒体の分配は、呼吸孔７０と干渉することなく、患者の歯茎と接触する順応性のある表面を提供する。離散チャンバの数およびサイズは、マウスピースの全体的のサイズおよび治療される特定の患者により変化し得る。一連の袋状体は、完全に接続されたネットワークを形成する。例えば、袋状体１８９は、マウスピースの後面に配置され、袋状体１８１を袋状体１８２に接続する。同様に、袋状体１９０はマウスピースの後面に配置され、袋状体１８３を袋状体１８４に接続する。好ましくは、各袋状体は、使用中の脱落を防止するために、適切な接着剤または他の手段によってマウスピースに固着される。別の実施形態では、袋状体は取り外し可能に取り付けられ、冷却の量およびタイミングを制御するため、または、使用者の独特な歯の解剖学的構造に対するマウスピースの適合を調整するため、様々なサイズの袋状体と交換することができる。例えば、患者は、隣接する歯からくぼんだりまたは曲がったりする１つ以上の歯を有しているかもしれない。この不一致に対応するために、より小さなまたはより大きな袋状体をマウスピースのこの位置に適合させることができ、それによってよりあつらえ向きの適合を生じさせることができる。
【００５１】
図１５は、本発明の第４の実施形態を示し、上歯茎用の冷却媒体袋状体が示されておりかつ外部チャンバに接続されており、該外部チャンバは塩水チャンバ３０３と、該塩水チャンバ内で自由に移動する純水チャンバ３０４を含む、図１２のマウスピースの正面左上方向から見た斜視図である。図示の例では、純水チャンバ３０４は球形であるが、他の形状を採用することもできる。さらに、本発明のこの実施形態には、複数の水チャンバ３０４を含めることができる。
【００５２】
外部チャンバ３０３の外側断熱壁は、その形状を維持するように選択され、さらに、使用者が内容物を定期的に圧搾し、マウスピースの一連の袋状体を通って塩水溶液の流れを助けることを可能にするように、弾力性を提供する。
【００５３】
別の実施形態（図示せず）では、塩水チャンバ３０３のみがあり、純水チャンバ３０４は存在しない。塩水チャンバ３０３のサイズは、純水（凍結）チャンバを必要とせずに、冷却効果が必要とされる量と時間長さに応じて調整することができる。
【００５４】
別の実施形態（図示せず）では、調整可能な支持バンドが、外部チャンバの重量を支持するのを助けるために、使用者の頭の周りを包み込むように外部チャンバに取り付けられている。支持バンドは、フック・アンド・ループファスナー、バックル、スナップなどを介して固定することができる。
【００５５】
図１６〜２０は、本発明の第５の実施形態を示す。図１６は、化学療法治療を受けている患者の口内に位置するマウスピースの説明図であり、取り外し可能な外部チャンバ３００がマウスピースの前面から延びている。
【００５６】
外部チャンバ３００は、好ましくは、塩水チャンバ３０３および純水チャンバ３０４を含んでいる。断熱層（図示せず）が、塩水チャンバ３０３と純水チャンバ３０４との間にバリアを提供するために、含まれてよい。
【００５７】
塩水および純水はその安全性および容易な入手可能性のために好ましいが、塩水のように摂氏０度より十分低い凝固点を有する他の材料と摂氏０度の凝固点を有する純水、または、凝固点が摂氏０度に近い一方の溶液と凝固点が摂氏０度未満の凝固点を有する他方の溶液が、塩水、純水またはその両方に代わることができる。
【００５８】
マウスピースは、頂部要素１８および底部要素１９を有し、それらは集合的に化学療法治療中に口の全体的な被覆および冷却を提供する。頂部要素１８は、一体ユニットとして口内に配置することができるように、底部要素１９と一体であるか、又は接続されている。頂部要素１８は、順応性のある材料からなり、密着関係で、患者の口内の上歯茎２１１、２１２および上歯２０１、２０２の少なくとも主表面に隣接して置かれるように構成されている。底部要素１９は、順応性のある材料からなり、密着関係で、患者の口の下歯茎２１３、２１４および下部歯２０３、２０４の少なくとも主表面に隣接して置かれるように構成されている。
【００５９】
図１７は、図１６の線１７−１７の方向から見た第５の実施形態によるマウスピースの断面図である。患者の右上歯２０１および右上歯茎２１１が、集合的にＵ字型の空洞を形成する右上壁４１、５１および６１と係合している。袋状体１８１および１８２は、それぞれ垂直壁４１および５１に取り付けられ、上述のように冷却媒体を収容する。袋状体は、図１７に示すように、右上歯茎２１１の少なくとも主表面に隣接して置かれるように寸法決めされている。同様に、患者の口の他の残りの象限は、上記と同じ方法で処置されため、これ以上の説明を要しない。
【００６０】
図１８は、図１６のマウスピースの正面左上方向から見た斜視図であって、そこには上歯茎のための冷却媒体袋状体１８１、１８９、１８３、および１９０が示され、それらは外部の取り外し可能なチャンバに接続されている。開孔部７０は、正面位置に配置され、外部チャンバ３００を通って延在しており、そのことはマウスピース１０が作動可能に密着関係で口の中に置かれたときに患者が口から呼吸することを可能にする。開孔部７０は、単一の開孔部として示されているが、本発明の他の実施形態では、１つ以上の開孔部を含むことができる。本発明の全ての実施形態において、開孔部７０は、円形、溝形、楕円形、長方形、または他の任意の形状であってもよい。開孔部７０の内壁は、外部チャンバ３００の重量の下で圧し潰されることなくその形状を維持するように、プラスチック、硬質ゴムなどの剛性または半剛性の材料から作ることができる。図示されているように、頂部要素１８は、隣接する表面に沿って底部要素１９と一体であり、その間に単一の連続した側壁を集合的に形成し、一体ユニットとしての口内への配置を可能にする。他の実施形態では、頂部要素１８は、顎骨の接合部に隣接する遠位端で底部要素１９にヒンジ状に連結することができる。この実施形態では、患者は、冷却媒体を上および下の歯茎および歯と接触させた状態を維持しながら、口を開閉することができる。
【００６１】
図１９は、マウスピースの上面図であり、塩水チャンバ３０３から１つ以上のチャネル３０５および３０６を介して流れる塩水溶液を収容する複数の袋状体を示している。マウスピースおよび外部チャンバは、純水チャンバ３０４内に保存された水が凍結するように、使用前に冷凍庫内に保管される。純水チャンバ３０４は、図面中の矢印によって示されるように、マウスピース内の袋状体を流れる塩水に対して冷却効果を与える。図示された実施形態では、一連の冷却チャンバ（袋状体）１８１〜１８４がマウスピース１０の内壁に沿って設けられている。いくつかの接続されたチャンバ間の冷却媒体の分配は、呼吸孔７０と干渉することなく、患者の歯茎と接触するための順応性のある表面を提供する。離散チャンバの数およびサイズは、マウスピースの全体的なサイズおよび治療される特定の患者に応じて異り得る。一連の袋状体は、完全に接続されたネットワークを形成する。例えば、袋状体１８９は、マウスピースの後面に配置され、袋状体１８１を袋状体１８２に接続する。同様に、袋状体１９０は、マウスピースの後面に配置され、袋状体１８３を袋状体１８４に接続する。好ましくは、各袋状体は、使用中にそのずれを防止するために、適切な接着剤または他の手段を用いてマウスピースに固定的に取り付けられる。別の実施形態では、チャンバは取り外し可能に取り付けられており、冷却の量およびタイミングを制御するために；または使用者の独自の歯科解剖学のためにマウスピースの適合性を調整するために、様々なサイズの袋状体と交換することができる。例えば、患者が、隣接歯から凹んだり曲がったりする歯を1本以上有している場合があり、この不一致に対応するために、より小さいまたはより大きい袋状体をマウスピースのこの位置に装着することで、よりカスタムフィットを作成することができる。
【００６２】
図２０Ａは、図１６のマウスピースの正面左上方向から見た分解斜視図であり、そこでは外部チャンバ３００がマウスピース１０から取り外されている。一実施形態では、外部チャンバ３００は、入れ子状構造で純水チャンバ３０４を受け入れるように構成され、寸法決めされた遠位開孔部を形成する空洞を有する塩水チャンバ３０３を有している。塩水チャンバ３０３および純水チャンバ３０４のそれぞれは、テーパ状の近位端を有することができる。可撓性の断熱膜（図示せず）が、臨床環境で患者を治療する際に、おそらく約７２度Ｆの暖かい温度となる周囲空気に対する断熱性を提供するために、外部チャンバを取り囲むことができる。
【００６３】
外部チャンバ３００がマウスピース１０から取り外し可能であるため、マウスピースは、小児患者から成人男性まで様々な患者に対応するために、様々なサイズで製造されてよい。しかし、外部チャンバは、あらゆるサイズのマウスピースにも接続可能であるため、限られた数のサイズでのみ製造されればよい。これは、外部チェンバの不必要な製造および工具コストを最小限に抑えつつ、口内に適合する要素の高度にカスタマイズされた適合を可能にする。さらに、使用前に外部チャンバのみを冷蔵庫に入れる必要があり、それによって、冷蔵庫あたり最大数の外部チャンバを保存することができる。さらに、特により長い治療のために、第２の外部チャンバが冷蔵庫に保管され、その後最初にマウスピースに取り付けられた第１の外部チャンバと交換されることができ、そしてこの交換は、マウスピースが患者の口の中に残っている間に、非常に簡単にすべて行うことができる。
【００６４】
嵌合要素が、第１の外部チャンバ３０３の近位端がマウスピース１０の前面に取り外し可能に取り付けられることを可能にするように、寸法決めされ、構成されている。一実施形態では、嵌合要素は、スナップフィット装着を可能にするように、さねはぎ嵌合面４０１および４１１を有している。別の実施形態では、嵌合要素は、取り外し可能なねじ嵌合装着を可能にするようにねじ嵌合表面（図示せず）を有している。これは、別個のねじ付きカラーを利用することによっても達成され得る。一実施形態では、マウスピースは、溝４０１を有する側壁を有する円筒状突起４００を有している。１つ以上のチャネル３０５及び３０６が、円筒状突起４００から延びることができ、塩水チャンバ３０３への導管を提供する１つ以上の対応する開孔部４１７及び４１８（図２０Ｂを参照）と整列するように構成されている。
【００６５】
図２０Ｂは、外部チャンバの近位端の正面左方向の分解斜視図であって、円筒状部材４１０と冷却媒体の流れを制御するためのバルブ５０１および５０２を示している。一実施形態では、バルブ５０１および５０２は、冷却媒体の流れによって圧力が加えられたときに開くように構成された可撓性トンネルを含むダックビルバルブである。可撓性トンネルは、図示のように円錐形にすることができ、または他の適切な形状にすることができる。圧力は、使用中に柔軟性を維持するように構成されている塩水チャンバ３０３の外側を、使用者が圧迫することによって加えることができる。好ましくは、バルブは、マウスピースを通る一方向流パターンで流体を導くように方向付けられ、温度を維持するのを助けるために塩水の継続的な循環を提供することによって、乱流を減少させ、口内の熱伝達と冷却効果を最大にする。例えば、バルブ５０１は遠位方向に流れを向けることができ、バルブ５０２は近位方向に流れを向けることができる。
【００６６】
他のタイプのバルブが、一方向弁タイプのバルブを含んで、本発明に利用することができる。他の実施形態では、バルブは、使用者によって開閉するために調整可能なハンドルを含むことができる。他の実施形態では、バルブはボールバルブを含むことができる。バルブは、開孔部４１７および４１８に固定的に取り付けられる必要がある。代替的に、バルブは、マウスピースのチャネル３０５及び３０６に位置決めされて固定的に取り付けられることができる。さらに別の実施形態では、バルブは、開孔部４１７及び４１８並びにチャネル３０５および３０６の両方に含まれることができる。別の実施形態では、バルブは使用されず、代わりに、適切な圧力が加えられるまで、接着剤などで固定された１つ以上のフラップが導管を覆い、適切な圧力が加えられるとフラップ材料を開くか、または破って冷却媒体の流れを可能にする。別の実施形態では、導管をシールするために何も使用されず、代わりに、外部チャンバ３００が、重力によって開孔部４１７および４１８から流体が漏れ出すのを防ぐように、直立位置に維持される。別の実施形態では、気泡が存在する場合、閉じ込められた気泡が、閉じたループシステムから逃げることを可能にするために、1つ以上のリリーフ開孔部が装置に含まれる。
【００６７】
図２１〜２２は、本発明の第６の実施形態を示す。図２１は、図１２のマウスピースの正面左上方向から見た斜視図を示し、そこでは上歯茎のための冷却媒体袋状体が示され、冷却媒体袋状体が外部チャンバ３００に接続され、外部チャンバは、塩水チャンバ３０３と、塩水チャンバ３０３内を自由に移動し、冷却媒体袋状体を通って自由に流れる複数の純水カプセル３０７とを含んでいる。純水カプセル３０７は、球状の形状であってもよいし、ランダムな不定形形状を含めて他の形状であってもよい。好ましくは、各純水カプセル３０７は、ほぼ同様の体積を有するように均一なサイズにされる。
【００６８】
図２２は、図２１のマウスピースの上面図であり、頂部要素および底部要素を自由に流れる塩水冷却媒体および純水カプセル３０７の両方を受け入れるための一連の接続された袋状体を示している。一実施形態では、純水カプセル３０７は直径約４から５ｍｍであり、チャネル３０５および３０６は、純水カプセルがマウスピース１０を通して自由に流れるようにするために、直径約２３から２８ｍｍである。水カプセルが詰まることなくチャネルを自由に通過できるほどに十分に小さい限り、水カプセル３０７とチャネル３０５及び３０６は、任意の他の適切な寸法であってもよい。
【００６９】
図２３は、支持脚８０１〜８０４および吊り帯８０５を含む任意の補助支持装置８００をさらに含む本発明の第７の実施形態を示している。外部チャンバの補助支持装置は、使用中の快適性をより高め、使用者の筋肉疲労を防止する。支持脚は、様々な位置に対応し、頑丈な支持を提供するために、自在に伸縮し、調節するように構成されることができる。例えば、支持装置８００は、使用者６００が着座している間、支持脚８０１および８０２を椅子７００の右アームレスト７０１上に置き、次いで支持脚８０３および８０４を椅子７００の左アームレスト７０２上に置くことにより、外部チャンバ３００を支持するように用いられることができる。別の例（図示せず）では、支持装置８００は、使用者６００がよりリクライニングした姿勢に着座している間、支持脚８０１〜８０４を使用者６００の胸部に置くことにより、外部チャンバ３００を支持するように用いられることができる。
【００７０】
図２４〜３４は、本発明の第８の実施形態を示す。図２４は、化学療法治療を受けている患者の口内に配置されたマウスピースの説明図であり、そこでは外部チャンバ９００はマウスピースの前面から延びている。
【００７１】
外部チャンバ９００は、好ましくは純水袋状体９１０を含み、間隙９２０が、塩水を保持するために、袋状体９１０と外部チャンバ９００との間に形成されている。断熱層（図示せず）が、純水袋状体９１０と周囲の塩水との間にバリアを提供するために含まれてよい。一実施形態では、袋状体９１０は、塩に対して透過性ではない材料、例えばラテックスベースの材料から作られる。袋状体９１０は、塩水の冷却を補助するために、塩水の凝固点温度以上の凝固点温度を有する第２の溶液を保存する。好ましい実施形態では、袋状体９１０内に保存される第２の溶液は純水である。一実施形態では、外部チャンバ９００は、使用者が内容物を圧搾して冷却媒体の流れを補助することを可能にするように、弾性を供する外側断熱壁（図示せず）を含む。
【００７２】
塩水および純水はその安全性および容易な入手可能性のために好ましいが、塩水のように摂氏０度より十分低い凝固点を有する他の材料と摂氏０度の凝固点を有する純水、または、凝固点が摂氏０度に近い一方の溶液と凝固点が摂氏０度未満の凝固点を有する他方の溶液が、塩水、純水またはその両方に代わることができる。一実施形態では、塩水溶液は、１％から２５％の範囲の比率の塩の混合物を含む。一実施形態では、塩水溶液は、約１０％の比率での塩の混合物を含み、これは、溶液が華氏約１７度まで液体の形態のままでいることを可能にする。一実施形態では、マウスピースの温度は、治療中は２０度から２５度の範囲である。
【００７３】
マウスピースは、頂部要素１８および底部要素１９を含み、これらは集合的に化学療法治療中の口の全体の被覆および冷却を提供する。頂部要素１８は、底部要素１９と一体型であるか、または底部要素１９に接続されて、一体ユニットとして口の内に配置されることを可能にする。頂部要素１８は、順応性のある材料からなり、患者の口の上歯茎２１１及び２１２と上歯２０１及び２０２の少なくとも主表面に密着関係で隣接して置かれるように構成されている。底部要素１９は、順応性のある材料からなり、患者の口の下歯茎２１３及び２１４と下歯２０３及び２０４の少なくとも主表面に密着関係で隣接して置かれるに構成されている。
【００７４】
図２５は、図２４の線２５−２５の方向から見た第８の実施形態によるマウスピースの断面図である。患者の右上歯２０１および右上歯茎２１１が、集合的にＵ字型の空洞を形成する右上壁４１、５１および６１と係合している。マウスピースは、好ましくは、純水袋状体９１０の近位端９１１を取り囲む単一の連続した内部空洞９２０を形成するように、予め定められた所定位置で折り曲げられ、折り畳まれた単一の材料の層から形成される。特に、マウスピースの壁は曲げられて、マウスピースを一体に保持し、患者の右歯および右歯茎（上下両方）に隣接して存在する空洞の領域を形成する右外壁４５を形成している。同様に、マウスピースの壁は曲げられて、マウスピースを結合し、患者の左歯および左歯茎（上下両方）に隣接して存在する空洞の領域を形成する左外壁４６を形成している。マウスピースは、患者の歯および歯茎がＵ字型の空洞内に密着関係で適合されるように、適切な大きさであることが理解されるべきである。したがって、図２５は、患者の歯および歯茎の外側表面とＵ字型の空洞の壁との間の隙間を示しているが、他の実施形態（図示せず）では、そのような隙間は存在せず（または最小限の隙間）、患者の歯および歯茎はＵ字型の空洞の壁に対して直接接触する。同様に、患者の口の他の残り象限は、上述と同じ方法で治療されるため、さらなる議論を要しない。
【００７５】
純水袋状体９１０の近位端９１１は、断面が長方形であってよい。他の実施形態では、純水袋状体９１０の近位端９１１は、断面において楕円形であってもよいし、または不定形形状を含めて他の断面形状であってもよい。純水袋状体９１０の近位端９１１は、右咬合面壁６１と６３の間に適合し、及び、左咬合面壁６２と６４の間に適合するように構成され、寸法決めされている。さらに、純水袋状体９１０の近位端９１１は、右外壁４５と左外壁４６との間に適合するように構成され、寸法決めされている。さらに、冷却効果を最大化し、口内で実質的に均一な温度を維持するために、十分な隙間または空間が、周囲の塩水がマウスピースのすべての表面上およびその間を自由に流れることができるように、純水袋状体９１０の近位端９１１を完全に取り囲むことが許容されるべきである。
【００７６】
図２６は、図２４のマウスピースの右側分解斜視図であり、袋状体９１０が、マウスピース１０と外部チャンバ９００との間に挿入できるように配置されて示されている。対向する２つの開孔部９３１および９３２は、横方向の位置に配置されており、マウスピース１０が作動可能に密着関係で口内に配置されたときに患者が口から呼吸することを可能にするように、外部チャンバ９００の外側に沿って延在している。開孔部９３１および９３２は、２つの別個の開孔部として示されているが、本発明の他の実施形態では、１つの開孔部のみを含むことができ、または３つ以上の開孔部を含むことができる。他の実施形態では、１つ以上の呼吸開孔部は、外部チャンバ９００の頂端および／または底端に沿って配置されてもよく、または他の任意の軸に沿って配置されてもよい。本発明の全ての実施形態において、開孔部は、円形、溝形、楕円形、長方形、または他の任意の形状であってもよい。開孔部の内壁は、圧し潰されることなく外部チャンバ９００の重量の下でその形状を維持するように、プラスチック、硬質ゴムなどの剛性または半剛性の材料から作ることができる。
【００７７】
図示されているように、マウスピース１０は、純水袋状体９１０の近位端９１１の挿入を可能にするように構成され寸法付けされた正面開孔部１１を有している。さらに、前面開孔部１１は、外部チャンバ９００の近位端９０１に形成された近位開孔部９０４の大きさに対応するように構成され、寸法決めされている。図２６に示された実施形態では、マウスピース１０と外部チャンバ９００は別個の部品である。図示されていないが、外部チャンバ９００の遠位端９０２は、外部チャンバをシールして閉じる遠位壁を含む。この実施形態では、袋状体９１０は純水で満たされ、次いで開孔部９１３が密封される。次いで、袋状体は、マウスピース１０と外部チャンバ９００との間に挿入される。次に、マウスピース１０は、接着性シール剤または他のタイプの結合剤を使用して、外部チャンバにシールされ、水密シールを形成する。最後に、シリンジを使用して、外部チャンバ９００内の塩水を袋状体９１０を取り囲む間隙に汲み入れる。
【００７８】
図２７は、図２４のマウスピースの右側分解斜視図であり、袋状体９１０は、外部チャンバ９００とキャップ９４０の間に挿入されるように配置されて示されている。マウスピースおよび外部チャンバは、純水袋状体９１０内に保存されている水が凍結するように、使用前に冷凍庫内に保管される。純水袋状体９１０は、外部チャンバ９００およびマウスピース１０を通って流れる塩水に対して冷却効果を提供する。図示された実施形態では、マウスピース１０と外部チャンバ９００は、例えば単一の金型から製造することにより、一体ユニットとして一体的に形成されている。この実施形態では、袋状体９１０が純水で満たされると、外部チャンバ９００内に挿入され、その後、キャップ９４０を用いて外部チャンバを水密シールとして密封する。キャップは、ねじ嵌合構造、スナップフッィト構造、熱活性化接着剤、および／または任意の他のタイプの結合剤または接着剤を介して密封することができる。外部チャンバ９００とマウスピース１０との間の冷却媒体の分配は、外部チャンバ９００の外側に沿って配置された呼吸孔と干渉することなく、患者の口に冷却効果を提供する。
【００７９】
好ましい実施形態では、袋状体９１０は、近位端９１１及び遠位端９１２ならびに中央部９１４を含む。近位端９１１および中央部９１４は、入れ子状構造を可能にするように、外部チャンバ９００の内面形状に対応する外面形状を形成する。好ましくは、袋状体９１０は、外部チャンバ９００内に自由に配置される。これにより、袋状体９１０は、凍結中に膨張し、氷が溶け始めると収縮することができる。しかしながら、他の実施形態では、袋状体９１０は、外部チャンバ内の相対的な位置を維持することができるように、外部チャンバ９００の内面に１つ以上の位置で取り付けられる。
【００８０】
図２８は、図２４のマウスピースの右側分解斜視図であり、頂部要素と底部要素とを接続するマウスピース１０の近位壁１５を示している。さらに、上壁２９および対応する下壁３０（図示せず）は、近位壁１５と一緒に、マウスピースおよびその液体内容物を支持するための全体の枠組みを提供する一方で、マウスピースの空洞の外側表面を形成するように、両方に作用する。一実施形態では、これらの表面、特にマウスピースの表面に使用される材料は、使用中にマウスピースを所望の形状に維持するために、他の表面よりも幾分剛性が高いものとすることができる。本発明のすべての実施形態において、材料は、患者の治療中に水密シールを維持するのに十分な耐久性を有し、患者が使用中にマウスピースを噛んだ場合でも、適用される如何なる力にも耐えることができるべきである。例えば、漏れを生じ得る穿孔または他の可能な損傷を防止するように、金属メッシュ材料が外部表面内に埋め込まれてもよい。いずれにしても、漏れが発生した場合でも、内容物が無毒で好ましくは水、塩、および他の無害な物質を含んでいるため、患者に害はない。
【００８１】
本発明の全ての実施形態において、マウスピースは、小児患者から成人男性患者まで様々な患者に対応するように、様々なサイズを製造されることができる。しかし、外部チャンバは、限られた数のサイズを製造するのみで足りる。
【００８２】
図２９は、図２４のマウスピースの右側分解斜視図であり、外部チャンバ内に挿入された袋状体を示している。一実施形態では、袋状体の遠位端９１２は、外部チャンバ９００の長さを超えて延びている。純水袋状体９１０の開孔部９１３は、キャップ９４０を外部チャンバ９００上に配置する前に密閉される。一実施形態では、水密シールを形成するために、袋状体の開孔部９１３内にストッパー（図示せず）を配置してよい。
【００８３】
図３０は、図２４のマウスピースの上面図であり、頂部要素と底部要素全体を流れる冷却媒体を受け入れるための袋状体を示している。上述したように、袋状体９１０の近位端９１１は、好ましくは、治療中の冷却効果を最大にするために、少なくとも部分的に患者の上歯と下歯の間に延びている。一実施形態では、袋状体９１０を取り囲む間隙９２０は、マウスピースの最近位端を含めて、袋状体９１０の周囲の全部に実質的に延びている。
【００８４】
図２４〜３０に記載された実施形態では、患者は、治療中に所望の冷却効果を実現するために、マウスピースを口の中に３０分間保持するだけでよいかもしれない。一実施形態では、マウスピースは、華氏５０度から６０度の間の口内温度を実現する。
【００８５】
別の実施形態では、外部チャンバは、温度が治療中に使用するための所望の開始温度および終了温度に達したときに色を変化させて示す１つまたは複数の感熱性指標をさらに含むことができる。例えば、指標は、保存中に口の中に挿入するのに十分であると考えられる予め定められた温度に達したときに、緑色を示すことができる。同様に、指標は、たとえば使用中に所定の温度に達し、マウスピースの有効性が低下し、マウスピースを口から取り外して使用を終了し、または口の中に配置される準備ができて待機している別の第２のマウスピースとの交換が可能であるときに、黄色を示すことができる。別の実施形態では、装置の温度が、患者の口の中に配置するには冷たすぎると考えられる所定の温度、これは患者に不快感、または患者に害を与える可能性がある温度に達している場合には、赤色を示すことができる。任意の他の色コード、または温度変化に反応する他のタイプの指標を利用することができる。本発明の一実施形態では、装置は、たとえば袋状体が外部袋状体から取り外し可能ではなく、袋状体および外部チャンバの両方が第１の溶液および第２の溶液で予め充填されているように、すぐに使用可能なアセンブリで顧客に出荷される。一実施形態では、装置は、使い捨て装置として使用されるように意図されている。
【００８６】
図３１〜３２は、第１の被験者に対するマウスピースの冷却効果を示す口腔内赤外線温度画像である。
【００８７】
図３３〜３４は、第２の被験者に対するマウスピースの冷却効果を示す口腔内赤外線温度画像である。
【００８８】
別の実施形態（図示せず）では、電池式または電気コンセントに直接差し込まれた電気冷却装置を利用することができ、冷却装置は、外部チャンバを冷却するように適合されている。冷却装置は、電源スイッチを含み、冷却媒体の冷却を補完するために、または冷却媒体を冷却するための主要な手段として使用することができる。
【００８９】
本発明の好ましい実施形態の前記説明は、本発明の原理を例示するために提示されたものであり、本発明を例示された特定の実施形態に限定するものではない。本発明の範囲は、以下の特許請求の範囲内に包含されるすべての実施形態、およびそれらの等価物によって定義されることが意図されている。
【図１】
2021511158.tif 000003
【図２】
2021511158.tif 000004
【図３】
2021511158.tif 000005
【図４】
2021511158.tif 000006
【図５】
2021511158.tif 000007
【図６】
2021511158.tif 000008
【図７】
2021511158.tif 000009
【図８】
2021511158.tif 000010
【図９】
2021511158.tif 000011
【図１０】
2021511158.tif 000012
【図１１】
2021511158.tif 000013
【図１２】
2021511158.tif 000014
【図１３】
2021511158.tif 000015
【図１４】
2021511158.tif 000016
【図１５】
2021511158.tif 000017
【図１６】
2021511158.tif 000018
【図１７】
2021511158.tif 000019
【図１８】
2021511158.tif 000020
【図１９】
2021511158.tif 000021
【図２０Ａ】
2021511158.tif 000022
【図２０Ｂ】
2021511158.tif 000023
【図２１】
2021511158.tif 000024
【図２２】
2021511158.tif 000025
【図２３】
2021511158.tif 000026
【図２４】
2021511158.tif 000027
【図２５】
2021511158.tif 000028
【図２６】
2021511158.tif 000029
【図２７】
2021511158.tif 000030
【図２８】
2021511158.tif 000031
【図２９】
2021511158.tif 000032
【図３０】
2021511158.tif 000033
【図３１】
2021511158.tif 000034
【図３２】
2021511158.tif 000035
【図３３】
2021511158.tif 000036
【図３４】
2021511158.tif 000037
【国際調査報告】
2021511158.tif 000038
2021511158.tif 000039